(57)【要約】【課題】入射した光の反射を抑制できる窓を提供する。【解決手段】第１空間と第２空間との間において前記第１空間と前記第２空間に向けて開口した開口部に設置される窓１であって、少なくとも１枚の窓部材１０と、透明基材２４と高屈折率層２２及び低屈折率層２１を有し、入射した光の反射を抑制する反射抑制フィルム２０と、を備える。【選択図】図２
2018100499.tif 000002
【特許請求の範囲】
【請求項１】
第１空間と第２空間との間において前記第１空間と前記第２空間に向けて開口した開口部に設置される窓であって、
少なくとも１枚の窓部材と、
透明基材と高屈折率層及び低屈折率層を有し、入射した光の反射を抑制する反射抑制フィルムと、
を備えた窓。
【請求項２】
前記窓部材は、前記第１空間側の第１面及び前記２空間側の第２面を有し、
前記反射抑制フィルムが、前記窓部材の前記第１面又は前記第２面の少なくとも一方に配置された、
請求項１に記載の窓。
【請求項３】
前記窓は、前記窓部材を複数枚有し、
少なくとも２枚の前記窓部材が中間膜の接着により一体化された、
請求項１に記載の窓。
【請求項４】
前記窓は、前記窓部材を複数枚有し、
少なくとも１組の前記窓部材が密閉された空間を挟んでいる、
請求項１に記載の窓。
【請求項５】
第１空間と第２空間との間において前記第１空間と前記第２空間に向けて開口した開口部に設置される二重窓であって、
第１の窓部材を有する第１窓と、
第２の窓部材を有し、前記第１窓よりも前記第２空間側に配置された第２窓と、を備え、
前記第１窓及び第２窓が、空気層を介して配置され、
前記反射抑制フィルムが、前記第１窓又は前記第２窓の少なくとも一方に配置された、
二重窓。
【請求項６】
前記窓は、透明ガラス、光拡散ガラス、光反射ガラス又は光吸収ガラスを備える、
請求項１から請求項５までのいずれか一項に記載の窓。
【請求項７】
前記窓は、前記反射抑制フィルムが配置される側と反対側に光機能性層が配置された、
請求項１から請求項６までのいずれか一項に記載の窓。
【請求項８】
前記窓は、前記反射抑制フィルムが配置された側に光機能性層が配置された、
請求項１から請求項６までのいずれか一項に記載の窓。
【請求項９】
前記窓は、前記反射抑制フィルムを複数備え、
複数の前記反射抑制フィルムが、前記窓の少なくとも一方の側に並べて配置された、
請求項１から請求項８までのいずれか一項に記載の窓。
【請求項１０】
複数の前記反射抑制フィルムは、前記窓が前記開口部に設置された状態において、鉛直方向又は水平方向の少なくとも一方向に沿って、前記窓の少なくとも一方の側に並べて配置された、
請求項９に記載の窓。
【請求項１１】
複数の前記反射抑制フィルムが配置された側又は反対側に、少なくとも複数の前記反射抑制フィルムが配置された領域を覆う大きさを有する前記反射抑制フィルムが配置された、
請求項９又は請求項１０に記載の窓。
【請求項１２】
複数の前記反射抑制フィルムのうち、少なくとも１枚の前記反射抑制フィルムの光反射率が、他の前記反射抑制フィルムの光反射率又は前記反射抑制フィルムの配置されていない領域の光反射率と異なる、
請求項９から請求項１１までのいずれか一項に記載の窓。
【請求項１３】
複数の前記反射抑制フィルムのうち、少なくとも１枚の前記反射抑制フィルムは、前記窓の中央域に配置された他の前記反射抑制フィルムを囲むように配置され、
少なくとも１枚の前記反射抑制フィルムの光反射率が、他の前記反射抑制フィルムの光反射率又は前記反射抑制フィルムの配置されていない領域の光反射率と異なる、
請求項９から請求項１１までのいずれか一項に記載の窓。
【請求項１４】
前記反射抑制フィルムが、前記窓部材の一領域に配置され、前記一領域を除いた他の領域は、前記窓部材の面である、
請求項１又は請求項２に記載の窓。
【請求項１５】
前記反射抑制フィルムが、前記窓部材の中央域に配置され、前記中央域を除いた他の領域は、前記窓部材の面である、
請求項１又は請求項２に記載の窓。
【請求項１６】
前記窓の前記第１空間側に配置された前記反射抑制フィルムの光反射率が、前記第２空間側に配置された前記反射抑制フィルムの光反射率と異なる、
請求項１から請求項１３までのいずれか一項に記載の窓。
【請求項１７】
前記反射抑制フィルムの前記低屈折率層は、中空シリカ粒子を含有する、
請求項１から請求項１６までのいずれか一項に記載の窓。
【請求項１８】
前記反射抑制フィルムが、帯電防止機能を有する、
請求項１から請求項１７までのいずれか一項に記載の窓。
【請求項１９】
請求項１から請求項１８までのいずれか一項に記載された反射抑制フィルムの施工方法であって、
前記反射抑制フィルムを、前記窓の前記第１空間側又は前記第２空間側の少なくとも一方に配置する工程を備える、
反射抑制フィルムの施工方法。
【請求項２０】
請求項１から請求項１９までのいずれか一項に記載の窓と、
第１空間と第２空間との間において前記第１空間と前記第２空間に向けて開口した開口部を有し、前記開口部に前記窓が設置された壁と、
を備えた建築物。
【発明の詳細な説明】
【技術分野】
【０００１】
本発明は、窓、二重窓、反射抑制フィルムの施工方法及び窓を備えた建築物に関する。
【背景技術】
【０００２】
建築物の窓においては、省エネルギー化、快適性向上を背景として、遮熱効果、断熱効果、遮音効果、安全性の確保等を達成するための技術が各種提案されている。
【先行技術文献】
【特許文献】
【０００３】
【特許文献１】特開２０１６−４８０３０公報
【特許文献２】特開２０１６−５６０６４号公報
【特許文献３】特開２０１６−７９０５２号公報
【発明の概要】
【発明が解決しようとする課題】
【０００４】
しかし、上記窓に関する技術の発達、窓環境の多様化等により、外光の映り込みによる窓本来の視認性が損なわれるという問題が生じている。
【０００５】
本発明の目的は、入射した光の反射を抑制できる窓、二重窓、反射抑制フィルムの施工方法及び建築物を提供することである。
【課題を解決するための手段】
【０００６】
本発明の一実施形態によれば、第１空間と第２空間との間において前記第１空間と前記第２空間に向けて開口した開口部に設置される窓であって、少なくとも１枚の窓部材と、透明基材と高屈折率層及び低屈折率層を有し、入射した光の反射を抑制する反射抑制フィルムと、を備えた窓が提供される。
【０００７】
本発明の一実施形態の窓において、前記窓部材は、前記第１空間側の第１面及び前記２空間側の第２面を有し、前記反射抑制フィルムが、前記窓部材の前記第１面又は前記第２面の少なくとも一方に配置されてもよい。
【０００８】
本発明の一実施形態において、前記窓は、前記窓部材を複数枚有し、少なくとも２枚の前記窓部材が中間膜の接着により一体化されてもよい。
【０００９】
本発明の一実施形態において、前記窓は、前記窓部材を複数枚有し、少なくとも１組の前記窓部材が密閉された空間を挟んでいてもよい。
【００１０】
本発明の一実施形態によれば、第１空間と第２空間との間において前記第１空間と前記第２空間に向けて開口した開口部に設置される二重窓であって、第１の窓部材を有する第１窓と、第２の窓部材を有し、前記第１窓よりも前記第２空間側に配置された第２窓と、を備え、前記第１窓及び前記第２窓が、空気層を介して配置され、前記反射抑制フィルムが、前記第１窓又は前記第２窓の少なくとも一方に配置された二重窓が提供される。
【００１１】
本発明の一実施形態において、前記窓は、透明ガラス、光拡散ガラス、光反射ガラス又は光吸収ガラスを備えていてもよい。
【００１２】
本発明の一実施形態において、前記窓は、前記反射抑制フィルムが配置される側と反対側に光機能性層が配置されてもよい。
【００１３】
本発明の一実施形態において、前記窓は、前記反射抑制フィルムが配置された側に光機能性層が配置されてもよい。
【００１４】
本発明の一実施形態において、前記窓は、前記反射抑制フィルムを複数備え、複数の前記反射抑制フィルムが、前記窓の少なくとも一方の側に並べて配置されてもよい。
【００１５】
本発明の一実施形態において、複数の前記反射抑制フィルムは、前記窓が前記開口部に設置された状態において、鉛直方向又は水平方向の少なくとも一方向に沿って、前記窓の少なくとも一方の側に並べて配置されてもよい。
【００１６】
本発明の一実施形態において、複数の前記反射抑制フィルムが配置された側又は反対側に、少なくとも複数の前記反射抑制フィルムが配置された領域を覆う大きさを有する前記反射抑制フィルムが配置されてもよい。
【００１７】
本発明の一実施形態において、複数の前記反射抑制フィルムのうち、少なくとも１枚の前記反射抑制フィルムの光反射率が、他の前記反射抑制フィルムの光反射率又は前記反射抑制フィルムの配置されていない領域の光反射率と異なっていてもよい。
【００１８】
本発明の一実施形態において、複数の前記反射抑制フィルムのうち、少なくとも１枚の前記反射抑制フィルムは、前記窓の中央域に配置された他の前記反射抑制フィルムを囲むように配置され、少なくとも１枚の前記反射抑制フィルムの光反射率が、他の前記反射抑制フィルムの光反射率又は前記反射抑制フィルムの配置されていない領域の光反射率と異なってもよい。
【００１９】
本発明の一実施形態において、前記反射抑制フィルムが、前記窓部材の一領域に配置されもよい。
本発明の一実施形態において、前記反射抑制フィルムが、前記窓部材の中央域に配置されてもよい。
本発明の一実施形態において、前記窓の前記第１空間側に配置された前記反射抑制フィルムの光反射率が、前記第２空間側に配置された前記反射抑制フィルムの光反射率と異なってもよい。
【００２０】
本発明の一実施形態において、前記反射抑制フィルムの前記低屈折率層は、中空シリカ粒子を含有してもよい。
【００２１】
本発明の一実施形態において、前記反射抑制フィルムが、帯電防止機能を有していてもよい。
【００２２】
本発明の一実施形態によれば、前記反射抑制フィルムを、前記窓の前記第１空間側又は前記第２空間側の少なくとも一方に配置する工程を備える反射抑制フィルムの施工方法が提供される。
【００２３】
本発明の一実施形態によれば、窓と、第１空間と第２空間との間において前記第１空間と前記第２空間に向けて開口した開口部を有し、前記開口部に前記窓が設置された壁と、を備えた建築物が提供される。
【発明の効果】
【００２４】
本発明によれば、入射した光の反射を抑制できる窓、反射抑制フィルムの施工方法及び建築物を提供することができる。
【図面の簡単な説明】
【００２５】
【図１】第１実施形態の窓１及び窓１が設置された建築物４を説明する図である。
【図２】反射抑制フィルム２０及び窓１の層構成を説明する図である。
【図３】第１実施形態における窓１の構成を説明する図である。
【図４】第２実施形態における窓１Ａの第１〜第３の構成を説明する図である。
【図５】第３実施形態の窓１Ｂの構成を説明する図である。
【図６】第４実施形態の窓１Ｃの構成を説明する図である。
【図７】第５実施形態における窓１Ｄの第１〜第３の構成を説明する図である。
【図８】第６実施形態における窓１Ｅの第１及び第２の構成を説明する図である。
【図９】第７実施形態における窓１Ｆの第１の構成を説明する図である。
【図１０】第７実施形態における窓１Ｆの第２の構成を説明する図である。
【図１１】第７実施形態における窓１Ｆの第３の構成を説明する図である。
【図１２】第８実施形態における窓１Ｇの第１及び第２の構成を説明する図である。
【発明を実施するための形態】
【００２６】
以下、本発明の実施形態ついて説明する。なお、本明細書に添付した図面においては、理解しやすさ等を考慮して、各部の形状、縮尺、縦横の寸法比等を、実物から変更又は誇張している。また、各図においては、部材の断面を示すハッチングを省略する。
本明細書等において、形状、幾何学的条件、これらの程度を特定する用語、例えば、「方向」、「側」等については、その用語の厳密な意味に加えて、同様の光学的機能を奏し、概ねその方向及び側とみなせる範囲を含む。
【００２７】
反射抑制フィルムの多くの使用形態のうち、一使用形態に即して説明する場合において、以下に説明する図面にはＸＹＺの直交座標系を記載した。この座標系は、反射抑制フィルムを窓ガラスに貼り付けた状態、すなわち、反射抑制フィルムを建築物に鉛直に配置した状態における上下（鉛直）方向をＹ方向、左右（水平）方向をＸ方向、厚み方向をＺ方向とする。ここで、上下方向（Ｙ方向）のうち、上側をＹ１側とし、下側をＹ２側とする。左右方向（Ｘ方向）のうち、右側をＸ１側とし、左側をＸ２側とする。厚さ方向（Ｚ方向）のうち、室内（第１空間）側をＺ１側とし、室外（第２空間）側をＺ２側とする。
【００２８】
（第１実施形態）
図１は、第１実施形態の窓１及び窓１が設置された建築物４を説明する図である。図１では、建築物４の一部を図示している。
図２は、反射抑制フィルム２０及び窓１の層構成を説明する図である。
【００２９】
図１に示すように、窓１は、壁３に設置されている。本実施形態の壁３は、住宅、オフィスビル等において、室内（第１空間）と室外（第２空間）との境に設けられた外壁である。壁３は、室内と室外との間において、室内と室外に向けて開口した開口部２を備えている。開口部２は、例えば窓枠である。本実施形態の窓１は、壁３に備えられた窓枠に設置されている。なお、壁３は、部屋と部屋との境又は部屋と廊下の境に設けられた内壁（間仕切り壁）等であってもよい。
【００３０】
図２に示すように、窓１は、ガラス（窓部材）１０、反射抑制フィルム２０及び粘着層３０を備える。
以下の説明では、ガラス１０の室内側（Ｚ１側）の面を第１面ｓ１、室外側（Ｚ２側）の面を第２面ｓ２ともいう。第２実施形態以降のガラス（１１０、２１０等）についても、第１面ｓ１、第２面ｓ２として説明する。
【００３１】
ガラス１０は、室内（Ｚ１側）と室外（Ｚ２側）とを区切る部材である。本実施形態のガラス１０は、例えば、石英ガラス、ソーダガラス等の透明なガラス材料により形成される単板ガラスである。
【００３２】
ガラス１０は、透明なガラスに限らず、型板ガラス、すりガラス等の光拡散性を有する光拡散ガラスでもよい。また、ガラス１０は、Ｌｏｗ−Ｅ膜、金属膜等を有する光反射ガラスでもよいし、着色ガラスのような一定範囲の波長の光を吸収する光吸収ガラスでもよい。このように、ガラス１０は、光透過性を有する部材であれば、どのような光学特性を備えていてもよい。後述する第２実施形態〜第８実施形態についても同じである。
【００３３】
反射抑制フィルム２０は、入射した光の反射を抑制するフィルム状の部材である。反射抑制フィルム２０は、低屈折率層２１、高屈折率層２２、ハードコート層２３及び透明基材２４を備える。
【００３４】
低屈折率層２１及び高屈折率層２２は、光学干渉機能により、反射抑制フィルム２０に反射抑制機能を付与する層である。反射抑制フィルム２０は、低屈折率層２１及び高屈折率層２２に加えて、更に中屈折率層を設けた構成としてもよい。本実施形態の反射抑制フィルム２０は、高屈折率層２２と透明基材２４（後述）との間に、中屈折率層として機能するハードコート層２３を備えている。そのため、反射抑制フィルム２０には、３層の光学干渉機能により反射抑制機能が付与されている。
【００３５】
低屈折率層２１は、例えば、屈折率が１．２６〜１．３６が好ましく、１．２８〜１．３４がより好ましく、１．３０〜１．３２が更に好ましい。
低屈折率層２１の厚みは、８０〜１２０ｎｍが好ましく、８５〜１１０ｎｍがより好ましく、９０〜１０５ｎｍであることが更に好ましい。
【００３６】
低屈折率層２１は、例えば、樹脂組成物に低屈折率粒子を含有させた低屈折率層形成用塗布液から形成することができる。
低屈折率粒子は、低屈折率層２１の屈折率をより低下させ、且つ良好な表面硬度を確保する観点から、内部に空隙を有する構造の粒子が好ましく用いられる。このような粒子は、例えば、屈折率１．０の空気等の気体が充填されている。このような空隙を有する粒子として、例えば、中空シリカ粒子を用いることができる。
【００３７】
中空シリカ粒子は、低屈折率の塗膜強度を保持しつつ、屈折率を下げる機能を有する。また、中空シリカ粒子をより多く含有させることにより、低屈折率層２１の断熱性を向上させることができるため、上記機能を維持しつつ、室内における冷房、暖房の効率をより高めることができる。また、低屈折率層２１の断熱性が向上することにより、室内側における結露の発生を抑制できる。また、反対側の窓面に配置されたフィルムにおける結露の発生を抑制でき、劣化も抑制できる。
【００３８】
高屈折率層２２は、例えば、屈折率が１．５５〜１．８５が好ましい。後述するように、本実施形態の高屈折率層２２は、２層構成であるため、層ごとに適切な屈折率が設定される。
高屈折率層２２の厚みは、２層構成における合計の厚みとして、例えば、２００ｎｍ以下が好ましく、５０〜１８０ｎｍがより好ましい。
【００３９】
高屈折率層２２は、例えば、硬化性樹脂組成物及び高屈折率粒子を含む高屈折率層形成用塗布液から形成することができる。
高屈折率粒子としては、例えば、五酸化アンチモン、スズドープ酸化インジウム、アンチモンドープ酸化スズ等の導電性を有する粒子のほか、酸化亜鉛、酸化チタン、酸化ジルコニウム等の非導電性を有する粒子が用いられる。
【００４０】
図２に示すように、本実施形態の高屈折率層２２は、第１高屈折率層２２ａと、第２高屈折率層２２ｂと、から構成される。このうち、一方の高屈折率層には導電性を有する高屈折率粒子が含有され、他方の高屈折率層には非導電性を有する高屈折粒子が含有されている。
【００４１】
本実施形態の高屈折率層２２において、ハードコート層２３（後述）の側に位置する第１高屈折率層２２ａの屈折率よりも、低屈折率層２１の側に位置する第２高屈折率層２２ｂの屈折率を高くすることが好ましい。このような構成とすることにより、低屈折率層２１との屈折率差を大きくすることができるため、反射率を低くできる。また、高屈折率層２２とハードコート層２３との屈折率差を小さくできるため、干渉稿の発生を抑制できる。
高屈折率層２２を２層構成とした場合、第１高屈折率層２２ａは、屈折率が１．５５〜１．７０が好ましい。また、第２高屈折率層２２ｂは、屈折率が１．６０〜１．８５が好ましい。
【００４２】
また、高屈折率層２２において、導電性を有する高屈折粒子を含有させた層の厚みを、非導電性を有する高屈折粒子を含有させた層の厚みより薄くすることが好ましい。このような構成とすることにより、色味の原因となり得る導電性を有する高屈折粒子の添加量を抑えつつ、帯電防止性を付与することができる。導電性を有する高屈折粒子は、層内でネットワーク化させることにより、少ない添加量で帯電防止性を付与することができるだけでなく、色味及び白化を抑制できる。
【００４３】
ハードコート層２３は、反射抑制フィルム２０の耐擦傷性を向上させるための層である。ハードコート層２３は、透明基材２４（後述）と高屈折率層２２との間に設けられる。なお、ハードコートとは、ＪＩＳ  Ｋ５６００−５−４：１９９９で規定される鉛筆硬度試験で「Ｈ」以上の硬度を示すものをいう。
【００４４】
ハードコート層２３は、例えば、硬化性樹脂組成物を含むハードコート層塗布液から形成することができる。硬化性樹脂組成物としては、耐擦傷性の観点から、電離放射線硬化性樹脂組成物を用いることが好ましい。
ハードコート層２３の厚みは、例えば、０．１〜１００μｍの範囲が好ましく、０．８〜２０μｍの範囲がより好ましい。ハードコート層２３の厚みが上記範囲にあれば、十分な耐擦傷性が得られると共に、外部からの衝撃に対してクラック等も発生しにくくなり、割れも抑制できる。
【００４５】
ハードコート層２３の屈折率は、高屈折率層２２の屈折率よりも小さくすることが好ましく、１．４５〜１．７０がより好ましく、１．４５〜１．６０が更に好ましい。ハードコート層２３の屈折率をこのような範囲とすることにより、ハードコート層２３を中屈折率層として機能させることができる。これによれば、反射抑制フィルム２０に、ハードコート層２３、高屈折率層２２及び低屈折率層２１の３層による光干渉機能による反射抑制機能を付与することができる。なお、干渉稿を抑制する観点から、ハードコート層２３の屈折率と透明基材２４の屈折率との差を小さくすることが好ましい。
【００４６】
透明基材２４は、上記各層を支持するためのフィルム状の部材である。
透明基材２４としては、例えば、ポリエチレンテレフタレート（ＰＥＴ）等のポリエステル樹脂、アクリル樹脂、スチレン樹脂、アクリルスチレン樹脂、ポリカーボネート樹脂、脂環式ポリオレフィン樹脂等の光透過性の高い材料を用いることができる。反射抑制フィルム１を安価に提供するために、ＰＥＴを採用してもよい。
透明基材２４の厚みは、一般的には５〜１３０μｍであり、耐久性、取り扱い性等を考慮すると、１０〜１００μｍが好ましい。
【００４７】
粘着層３０は、反射抑制フィルム２０をガラス１０に固定するための層である。粘着層３０としては、透明基材２４（反射抑制フィルム２０）とガラス１０との間を透過する光の屈折・反射による損失を抑制するため、これらの層と同等の屈折率を有する材料が用いられる。粘着層３０としては、例えば、ウレタンアクリレート樹脂、エポキシアクリレート樹脂、アクリル系粘着剤、シリコン系粘着剤等の光透過性の高い材料が用いられる。反射抑制フィルム２０に到達する紫外線により、反射抑制フィルム２０が劣化するのを抑制する目的で、粘着層３０が紫外線吸収剤を含んでいてもよい。
【００４８】
なお、ガラス１０に貼り付けられる前の反射抑制フィルム２０には、剥離紙（不図示）が貼り付けられている。剥離紙は、粘着層３０において、透明基材２４に積層された側とは反対側の面に貼り付けられる。剥離紙は、紙片等の基材（不図示）の片面に剥離層を形成したものである。この剥離層は、例えば、基材にシリコン樹脂を含む溶剤を塗布した後、硬化させることにより形成することができる。
【００４９】
反射抑制フィルム２０に、剥離紙を貼り付けることにより、低屈折率層２１、高屈折率層２２、ハードコート層２３、透明基材２４、粘着層３０及び剥離紙が積層された積層体が完成する。反射抑制フィルム２０は、剥離紙が付いた積層体の状態で保管、輸送等を行うことができる。
【００５０】
反射抑制フィルム２０の施工者は、貼り付けるガラス１０の大きさ、形状等に合わせて、ハサミ、カッター等により積層体を裁断する。そして、施工者は、積層体から剥離紙を剥がし、例えば、ガラス１０の室内側（Ｚ１側）の全面に貼り付けることにより、反射抑制フィルム２０をガラス１０に取り付けることができる。
なお、反射抑制フィルム２０において、低屈折率層２１の表面に、表面保護フィルムを貼り付けてもよい。表面保護フィルムを貼り付けることにより、保管、輸送時だけでなく、ガラス１０に反射抑制フィルム２０を貼り付ける際の引っ掻き傷の発生、指紋等の付着による汚れを抑制できる。
【００５１】
（第１実施形態）
次に、第１実施形態の窓１の構成（第１〜第３の構成）について説明する。
図３は、第１実施形態における窓１の構成を説明する図である。図３（Ａ）は、窓１の第１の構成を説明する図である。図３（Ｂ）は、窓１の第２の構成を説明する図である。図３（Ｃ）は、窓１の第３の構成を説明する図である。
【００５２】
第１実施形態の窓１は、反射抑制フィルム２０が、ガラス１０の第１面ｓ１側又は第２面ｓ２の少なくとも一方に配置されている。
図３（Ａ）に示すように、第１の構成の窓１は、ガラス１０の第１面ｓ１側に、反射抑制フィルム２０が配置されている。この構成は、図２に示す窓１の構成と同じである。
図３（Ｂ）に示すように、第２の構成の窓１は、ガラス１０の第２面ｓ２側に、反射抑制フィルム２０が配置されている。
図３（Ｃ）に示すように、第３の構成の窓１は、ガラス１０の第１面ｓ１側及び第２面ｓ２側に、それぞれ反射抑制フィルム２０が配置されている。
【００５３】
第１実施形態のガラス１０として、透明なガラス、光吸収ガラスを用いた場合、反射抑制フィルム２０は、図３（Ａ）〜（Ｃ）に示すいずれかの形態で配置できる。ガラス１０として光吸収ガラスを用いた場合、光吸収により外光の映り込みが透明なガラスよりも強く視認されるが、反射抑制フィルム２０を配置することにより、入射した光の反射をより効果的に抑制できる。
【００５４】
ガラス１０として、型板ガラス、すりガラス等の光拡散性を有する光拡散ガラスを用いた場合、反射抑制フィルム２０は、光拡散性を損なわないようにするため、平坦面側に配置することが好ましい。ガラス１０として、Ｌｏｗ−Ｅ膜、金属膜等の光反射ガラスを用いた場合、反射抑制フィルム２０は、光反射性を損なわないようにするため、未成膜側に配置することが好ましい。
【００５５】
第１実施形態の窓１によれば、ガラス１０の少なくとも一方に反射抑制フィルム２０が配置されているため、窓１に入射した光の反射を抑制できる。
反射抑制フィルム２０は、断熱性を備えるため、窓１に入射した光の反射を抑制しつつ、窓１の室内側（Ｚ１側）において、結露の発生を抑制できる。
反射抑制フィルム２０は、粘着層３０を介してガラス１０に貼り付けられるため、外環境からの日射によりガラス１０の温度が上昇した場合でも、粘着層３０により反射抑制フィルム２０に対する一定の断熱効果が得られる。そのため、ガラス面上に反射防止膜を直接形成する場合に比べて、温度変化による高屈折率層２２／低屈折率層２１の屈折率の変動を抑制して、安定した反射抑制の効果を得ることができる。
【００５６】
反射抑制フィルム２０の低屈折率層２１（図２参照）は、中空シリカ粒子を含有するため、断熱性をより高めることができる。反射抑制フィルム２０の断熱性をより効果的に得るには、図３（Ｃ）に示すように、ガラス１０の第１面ｓ１側及び第２面ｓ２側に、それぞれ反射抑制フィルム２０を配置することが好ましい。
反射抑制フィルム２０の高屈折率層２２（図２参照）は、導電性を有する高屈折粒子を含有するため、帯電防止性を有する。これによれば、本実施形態の窓１は、入射した光の反射を抑制しつつ、空中に舞っている埃、ゴミ等の付着を抑制できる。
【００５７】
また、ガラスにスパッタリング等の手法により反射防止膜を形成するには、専用の設備が必要となる。一方、既存の建築物の窓で同様の反射抑制機能を得るには、窓自体の取り換えが必要となる。しかし、本実施形態の窓１によれば、専用の設備が不要であり、既存の建築物の窓に簡単な施工で取り付けることができる。
【００５８】
反射抑制フィルム２０を窓１に施工する際、反射抑制フィルム２０が保護フィルムとしても機能するため、ガラス１０の表面に引っ掻き傷等が付いたり、汚れが付着したりすることを抑制できる。
ガラス１０の室外側（Ｚ２側）に反射抑制フィルム２０を配置した場合、風により運ばれてくる砂、埃、ゴミ等の異物によりガラス１０の表面に傷が付くことを抑制できるだけでなく、紫外線の影響を低減すると共に、雨、雪、ひょう、みぞれ等からガラス１０の表面を保護することができる。従って、ガラス１０に反射抑制フィルム２０を配置することにより、窓１の耐久性、耐候性等をより高めることができる。
なお、上述した第１実施形態の窓１により得られる効果は、後述する他の実施形態において共通する構成がある場合は、特に説明がない限りは、同様に得られる効果である。
【００５９】
（第２実施形態）
次に、第２実施形態における窓１Ａの第１〜第３の構成について説明する。
第２実施形態では、第１実施形態と同様の機能を果たす構成要件（ガラス、粘着層等）には、同一の符号又は末尾（下２桁）に同一の符号を付して、重複する説明を適宜に省略する。
【００６０】
図４は、第２実施形態における窓１Ａの第１〜第３の構成を説明する図である。図４（Ａ）は、窓１Ａの第１の構成を説明する図である。図４（Ｂ）は、窓１Ａの第２の構成を説明する図である。図４（Ｃ）は、窓１Ａの第３の構成を説明する図である。
【００６１】
図４（Ａ）に示すように、第２実施形態の窓１Ａにおいて、ガラス１１０は、第１の窓部材としての第１ガラス１１、第２の窓部材としての第２ガラス１２及び中間膜１３が積層された合わせガラスとして構成されている。第１ガラス１１と第２ガラス１２は、中間膜１３により接着され、ガラス１１０として一体化されている。ガラス１１０の構成は、第２及び第３の構成に共通である。
【００６２】
図４（Ａ）に示すように、第１の構成の窓１Ａは、第１ガラス１１の第１面ｓ１側に、反射抑制フィルム２０が配置されている。
図４（Ｂ）に示すように、第２の構成の窓１Ａは、第２ガラス１２の第２面ｓ２側に、反射抑制フィルム２０が配置されている。
図４（Ｃ）に示すように、第３の構成の窓１Ａは、第１ガラス１１の第１面ｓ１側及び第２ガラス１２の第２面ｓ２側に、それぞれ反射抑制フィルム２０が配置されている。
第２実施形態の窓１Ａ（合わせガラス）によれば、上述した第１実施形態の窓１と同様の効果を得ることができる。
【００６３】
また、本実施形態において、中間膜１３が光吸収機能を有する場合、外光の映り込みが透明な中間膜よりも強く視認されるが、反射抑制フィルム２０を配置することにより、入射した光の反射をより効果的に抑制できる。
また、合わせガラスの場合、中間膜１３に紫外線吸収剤を含有させることにより、粘着層３０に含有させる紫外線吸収剤の量を通常よりも減らすことができる。これによれば、最表面に近い界面での反射が抑制されるため、より高い反射抑制の効果を得ることができる。
【００６４】
（第３実施形態）
次に、第３実施形態における窓１Ｂの構成について説明する。
第３実施形態では、第１実施形態と同様の機能を果たす構成要件（ガラス、粘着層等）には、同一の符号又は末尾（下２桁）に同一の符号を付して、重複する説明を適宜に省略する。
【００６５】
図５は、第３実施形態の窓１Ｂの構成を説明する図である。
図５に示すように、第３実施形態の窓１Ｂにおいて、ガラス２１０は、第１の窓部材としての第１ガラス１１と、第２の窓部材としての第２ガラス１２と、を備えている。ガラス２１０は、これら１組の第１ガラス１１及び第２ガラス１２が密閉空間１４を挟んで対向する複層ガラスとして構成されている。密閉空間１４の周囲は、スペーサー（不図示）により外部と仕切られている。密閉空間１４の内部には、空気、不活性ガス等が封入されている。
【００６６】
ガラス２１０において、反射抑制フィルム２０は、第１ガラス１１の第１面ｓ１又は第２面ｓ２、第２ガラス１２の第１面ｓ１又は第２面ｓ２に配置される。本実施形態において、反射抑制フィルム２０は、第１ガラス１１又は第２ガラス１２のいずれかにおいて、第１面ｓ１又は第２面ｓ２の少なくとも一面に配置されていればよい。図５は、反射抑制フィルム２０を、上記各面に配置した例を示しているが、この例に限定されない。例えば、反射抑制フィルム２０を、第１ガラス１１の第１面ｓ１のみに配置した構成としてもよい。
【００６７】
また、ガラス２１０において、室外側（Ｚ２側）の第２ガラス１２の第１面ｓ１に、Ｌｏｗ−Ｅ膜（不図示）を配置した構成としてもよい。Ｌｏｗ−Ｅ膜は、太陽光等を反射する金属膜である。その場合、反射抑制フィルム２０は、Ｌｏｗ−Ｅ膜の配置された面を除いた３面の少なくとも一面に配置されていればよい。
ガラス２１０にＬｏｗ−Ｅ膜を配置した構成において、反射抑制フィルム２０を第１ガラス１１の第１面ｓ１側又は第２ガラス１２の第２面ｓ２側の少なくとも一方に配置する場合、Ｌｏｗ−Ｅ膜は、観者に視認される側のガラスとは反対側のガラスの内面に配置されることが好ましい。上記配置により、Ｌｏｗ−Ｅ膜での反射による映り込みが軽減されるため、反射抑制フィルム２０による反射抑制の効果を最大限に得ることができる。
【００６８】
なお、複層ガラスであるガラス２１０の内部は、密閉空間１４により密閉されている。そのため、ガラス２１０の製造者は、反射抑制フィルム２０を、ガラス２１０の内側、すなわち第１ガラス１１の第２面ｓ２側又は第２ガラス１２の第１面ｓ１側の少なくとも一面に配置することができる。一方、窓１Ｂが建築物に設置されている場合、反射抑制フィルム２０の施工者は、反射抑制フィルム２０を、第１ガラス１１の第１面ｓ１又は第２ガラス１２の第２面ｓ２の少なくとも一面にのみ貼り付けることができる。
第３実施形態の窓１Ｂ（複層ガラス）によれば、上述した第１実施形態の窓１と同様の効果を得ることができる。
【００６９】
（第４実施形態）
次に、第４実施形態における窓１Ｃの構成について説明する。
第４実施形態では、第１実施形態と同様の機能を果たす構成要件（ガラス、粘着層等）には、同一の符号を付して、重複する説明を適宜に省略する。
【００７０】
図６は、第４実施形態の窓１Ｃの構成を説明する図である。
図６に示すように、第４実施形態の窓１Ｃは、第１窓の一例である内窓１Ｃ−１と、第２窓の一例である外窓１Ｃ−２と、を備えた二重窓として構成されている。
【００７１】
内窓１Ｃ−１は、窓１Ｃにおいて、室内側（Ｚ１側）に配置された窓である。内窓１Ｃ−１は、第１の窓部材としての第１ガラス１１を備えている。
外窓１Ｃ−２は、内窓１Ｃ−１よりも室外側（Ｚ２側）に配置された窓である。外窓１Ｃ−２は、第１の窓部材としての第２ガラス１２を備えている。
内窓１Ｃ−１と外窓１Ｃ−２との間には、中空層１５が形成されている。中空層１５は、空気の層である。
【００７２】
内窓１Ｃ−１と外窓１Ｃ−２は、中空層１５を間に挟んで、互いに相対移動可能に構成されている。なお、窓１Ｃ（二重窓）において、内窓１Ｃ−１と外窓１Ｃ−２は、相対位置が固定されていてもよいし、いずれか一方の窓が固定され、他方の窓が移動可能に構成されていてもよい。
【００７３】
内窓１Ｃ−１おいて、反射抑制フィルム２０は、第１ガラス１１の第１面ｓ１又は第２面ｓ２に配置される。また、外窓１Ｃ−２において、反射抑制フィルム２０は、第２ガラス１２の第１面ｓ１又は第２面ｓ２に配置される。本実施形態において、反射抑制フィルム２０は、第１ガラス１１又は第２ガラス１２のいずれかにおいて、第１面ｓ１又は第２面ｓ２の少なくとも一面に配置されていればよい。図６は、反射抑制フィルム２０を、上記各面に配置した例を示しているが、この例に限定されない。例えば、反射抑制フィルム２０を、第１ガラス１１（内窓１Ｃ−１）の第１面ｓ１のみに配置した構成としてもよい。
【００７４】
内窓１Ｃ−１の第２面ｓ２及び外窓１Ｃ−２の第１面ｓ１に配置される反射抑制フィルム２０は、その他の窓面に配置される反射抑制フィルム２０よりも高い反射抑制の効果を有することが好ましい。一例として、光反射率が１％以下の反射抑制フィルムが挙げられる。また、内窓１Ｃ−１の第２面ｓ２及び外窓１Ｃ−２の第１面ｓ１は、外環境による劣化の影響が小さいため、安定した反射抑制の効果を得ることができる。
【００７５】
更に、上述した合わせガラスの場合と同様に、外窓１Ｃ−２に配置される反射抑制フィルム２０の粘着層３０に紫外線吸収剤を含有させて紫外線吸収機能を付与すれば、内窓１Ｃ−１に配置される反射抑制フィルム２０の粘着層３０に含有させる紫外線吸収剤の量を通常よりも減らすことができる。これによれば、最表面に近い界面での反射が抑制されるため、より高い反射抑制の効果を得ることができる。
その他、第４実施形態の窓１Ｃ（二重窓）においても、第１実施形態の窓１と同様の効果を得ることができる。
【００７６】
（第５実施形態）
次に、第５実施形態における窓１Ｄの第１〜第３の構成について説明する。
第５実施形態では、第１実施形態と同様の機能を果たす構成要件（ガラス、粘着層等）には、同一の符号を付して、重複する説明を適宜に省略する。
【００７７】
図７は、第５実施形態における窓１Ｄの第１〜第３の構成を説明する図である。図７（Ａ）は、窓１Ｄの第１の構成を説明する図である。図７（Ｂ）は、窓１Ｄの第２の構成を説明する図である。図７（Ｃ）は、窓１Ｄの第３の構成を説明する図である。
【００７８】
第５実施形態の窓１Ｄは、反射抑制フィルム２０及び意匠フィルム４０が、ガラス１０の第１面ｓ１側又は第２面ｓ２の少なくとも一方に配置されている。
図７（Ａ）に示すように、第１の構成の窓１Ｄは、ガラス１０の第１面ｓ１側に、光機能性層としての意匠フィルム４０が配置され、ガラス１０の第２面ｓ２側に、反射抑制フィルム２０が配置されている。意匠フィルム４０は、図柄、模様等が形成されたフィルムである。図柄、模様等は、フィルム面の少なくとも一部に形成されている。
【００７９】
第１の構成の窓１Ｄは、反射抑制フィルム２０が配置された側と反対側に意匠フィルム４０が配置される。そのため、第１の構成の窓１Ｄにおいて、ガラス１０の第１面ｓ１側に反射抑制フィルム２０が配置され、ガラス１０の第２面ｓ２側に意匠フィルム４０が配置される構成としてもよい。
【００８０】
図７（Ｂ）に示すように、第２の構成の窓１Ｄは、ガラス１０の第２面ｓ２側に意匠フィルム４０が配置され、その意匠フィルム４０の室外側（Ｚ２側）に反射抑制フィルム２０が配置されている。
【００８１】
第２の構成の窓１Ｄは、反射抑制フィルム２０が配置された側に意匠フィルム４０が配置される。そのため、第１の構成の窓１Ｄは、ガラス１０の第１面ｓ１側に、反射抑制フィルム２０と意匠フィルム４０が配置される構成としてもよい。また、第２の構成の窓１Ｄにおいて、意匠フィルム４０と反射抑制フィルム２０を、逆に配置してもよい。
【００８２】
図７（Ｃ）に示すように、第３の構成の窓１Ｄは、ガラス１０の第２面ｓ２側に反射抑制フィルム２０が配置され、その反射抑制フィルム２０の室外側（Ｚ２側）に、光機能性層としての意匠パターン４１が配置されている。意匠パターン４１は、図柄、模様等が形成された層である。意匠パターン４１は、例えば、スクリーン印刷により反射抑制フィルム２０の表面に形成される。
【００８３】
第３の構成の窓１Ｄは、反射抑制フィルム２０が配置された側に意匠パターン４１が配置される。そのため、第３の構成の窓１Ｄにおいて、ガラス１０の第１面ｓ１側に、反射抑制フィルム２０と意匠パターン４１が配置される構成としてもよい。
【００８４】
第５実施形態の窓１Ｄによれば、例えば、図７（Ｃ）に示すように、ガラス１０の表面における光の反射が抑制されるため、意匠フィルム４０に形成された図柄、模様等をより明確に視認させることができる。
また、図７（Ｂ）の構成において、透明シート上に図柄、模様等が形成された意匠フィルム４０の場合、反射抑制フィルム２０の反射抑制により透明シート部の透明性が向上するため、透明シート上に形成された図柄、模様等が浮いて見えるという視覚効果が得られる。
その他、第５実施形態の窓１Ｄによれば、上述した第１実施形態の窓１と同様の効果を得ることができる。
【００８５】
（第６実施形態）
次に、第６実施形態における窓１Ｅの第１及び第２の構成について説明する。
第６実施形態では、第１実施形態と同様の機能を果たす構成要件（ガラス、粘着層等）には、同一の符号を付して、重複する説明を適宜に省略する。
【００８６】
図８は、第６実施形態における窓１Ｅの第１及び第２の構成を説明する図である。図８（Ａ）は、窓１Ｅの第１の構成を説明する図である。図８（Ｂ）は、窓１Ｅの第２の構成を説明する図である。
第６実施形態の窓１Ｅは、反射抑制フィルム２０及び遮熱フィルム５０が、ガラス１０の第１面ｓ１側又は第２面ｓ２の少なくとも一方に配置されている。
【００８７】
図８（Ａ）に示すように、第１の構成の窓１Ｅは、ガラス１０の第１面ｓ１側に、光機能性層としての遮熱フィルム５０が配置され、ガラス１０の第２面ｓ２側に、反射抑制フィルム２０が配置されている。遮熱フィルム５０は、室外から侵入する日射熱の量を、反射及び吸収効果により低減する機能を有するフィルムである。
【００８８】
第１の構成の窓１Ｅは、反射抑制フィルム２０が配置された側と反対側に遮熱フィルム５０が配置される。そのため、第１の構成の窓１Ｅにおいて、ガラス１０の第１面ｓ１側に遮熱フィルム５０が配置され、ガラス１０の第２面ｓ２側に反射抑制フィルム２０が配置される構成としてもよい。
【００８９】
図８（Ｂ）に示すように、第２の構成の窓１Ｅは、ガラス１０の第２面ｓ２側に、遮熱フィルム５０が配置され、その遮熱フィルム５０の室外側（Ｚ２側）に、反射抑制フィルム２０が配置されている。
【００９０】
第２の構成の窓１Ｅは、反射抑制フィルム２０が配置された側に遮熱フィルム５０が配置される。そのため、第２の構成の窓１Ｅにおいて、ガラス１０の第１面ｓ１側に遮熱フィルム５０と反射抑制フィルム２０が配置される構成としてもよい。
【００９１】
第６実施形態の窓１Ｅによれば、遮熱フィルム５０がガラス１０の第１面ｓ１側又は第２面ｓ２の少なくとも一方に配置されているため、室外から入る日射熱の量を抑制できる。また、遮熱フィルム５０が赤外線（ＩＲ）を反射する機能を有する場合には、フィルム構造上、可視光も一定量反射するため、反射抑制フィルム２０と併用することにより、室内に可視光を取り込みつつ、室外から入る日射熱の量を抑制できる。なお、反射抑制フィルム２０は、透明なガラスに比べて、室外からの日射熱を取り込むため、遮熱フィルム５０と併用することにより、遮熱性をより向上させることができる。
【００９２】
また、遮熱フィルム５０が、赤外線（ＩＲ）を反射する機能を有する場合、図８（Ａ）に示すように、室内側（Ｚ１側）に遮熱フィルム５０を配置することが好ましい。このような配置とすることにより、室外側（Ｚ２側）から窓１Ｅを見たときに、遮熱フィルム５０の反射をより目立たなくすることができる。
その他、第６実施形態の窓１Ｅによれば、上述した第１実施形態の窓１と同様の効果を得ることができる。
【００９３】
なお、第６実施形態では、光機能性層である遮熱フィルム５０を、ガラス１０の第１面ｓ１側又は第２面ｓ２の少なくとも一方に配置した例について説明したが、遮熱フィルム５０の代わりに、光機能性層として採光フィルム、光偏向フィルムを配置してもよい。採光フィルム、光偏向フィルムは、室外から入射する光を、反射及び屈折効果により偏向させて、室内に取り込む機能を有するフィルムである。これらのフィルムと反射抑制フィルム２０とを併用することにより、より多くの自然光を取り込めるようになるため、昼光のより高い導入効果を得ることができる。
【００９４】
また、採光フィルムは、フィルム構造上、ガラス１０に対して貼り付ける方向が制限されるため、ガラス１０が破損した場合に、破片の飛散を抑制する効果が低減することもありうる。しかし、反射抑制フィルム２０と併用することにより、昼光のより高い導入効果と、破片の飛散を抑制する効果の両方を得ることができる。
【００９５】
（第７実施形態）
次に、第７実施形態における窓１Ｆの第１〜第３の構成について説明する。
第７実施形態では、第１実施形態と同様の機能を果たす構成要件（ガラス、粘着層等）には、同一の符号を付して、重複する説明を適宜に省略する。
【００９６】
＜第１の構成＞
図９は、第７実施形態における窓１Ｆの第１の構成を説明する図である。図９（Ａ）は、第１の構成の窓１Ｆを室外側（Ｚ２側）から見たときの正面図である。図９（Ｂ）〜（Ｄ）は、第１の構成の窓１Ｆの各形態を上側（Ｙ１側）から見たときの側面図である。
【００９７】
図９（Ａ）に示すように、第１の構成の窓１Ｆは、ガラス１０の第２面ｓ２側に短冊形の反射抑制フィルム２０ａ〜２０ｃが上下方向（Ｙ方向）に沿って並べて配置されている。また、窓１Ｆは、図９（Ｂ）に示すように、ガラス１０の第１面ｓ１側に、反射抑制フィルム２０ｄ〜２０ｆが配置されている。反射抑制フィルム２０ｄ〜２０ｆは、図９（Ａ）に示す反射抑制フィルム２０ａ〜２０ｃと同様に短冊形であり、上下方向（Ｙ方向）に沿って並べて配置されている。
【００９８】
反射抑制フィルム２０ａ〜２０ｃ及び２０ｄ〜２０ｆは、図９（Ｂ）に示すように、フィルム間に隙間ｇ１，ｇ２が形成されるように配置してもよいし、隙間がないように配置してもよい。
【００９９】
図９（Ｂ）に示す形態において、ガラス１０の第１面ｓ１側に配置される反射抑制フィルム２０ｄ〜２０ｆと第２面ｓ２側に配置される反射抑制フィルム２０ａ〜２０ｃは、左右方向（Ｘ方向）の同じ位置に配置されている。そのため、本形態によれば、窓１Ｆの左右方向（Ｘ方向）において、フィルム間の隙間ｇ１，ｇ２は、それぞれ重なり合っている。
【０１００】
図９（Ｃ）は、第１の構成の別の形態を示している。図９（Ｃ）に示す形態は、ガラス１０の第２面ｓ２側に配置された反射抑制フィルム２０ａ〜２０ｃに対して、ガラス１０の第１面ｓ１側に配置された反射抑制フィルム２０ｄ〜２０ｆの幅（Ｘ方向）が異なる。
【０１０１】
具体的には、ガラス１０の第１面ｓ１において、反射抑制フィルム２０ｄ，２０ｆの幅を広くし、反射抑制フィルム２０ｅの幅を狭くしている。フィルム間の隙間ｇ２は、第２面ｓ２側におけるフィルム間の隙間ｇ１と同じである。また、ガラス１０の第２面ｓ２側における反射抑制フィルム２０ａ〜２０ｃの配置は、図９（Ｂ）の形態と同じである。本形態によれば、窓１Ｆの左右方向（Ｘ方向）において、フィルム間の隙間ｇ１，ｇ２が重なり合わないように構成できる。なお、ガラス１０の第１面ｓ１側に配置される反射抑制フィルム２０ｄ〜２０ｆを、後述する第２の構成（図１０（Ｃ））と同じ形態としてもよい。
【０１０２】
図９（Ｄ）は、窓１Ｆの更に別の形態を示している。図９（Ｄ）に示す形態は、ガラス１０の第１面ｓ１側に、大判の反射抑制フィルム２０ｇが配置されている。ガラス１０の第１面ｓ１側に配置される反射抑制フィルム２０ｇは、第２面ｓ２に配置された反射抑制フィルム２０ａ〜２０ｃの領域を覆う程度の大きさを有する。ガラス１０の第２面ｓ２側における反射抑制フィルム２０ａ〜２０ｃの配置は、図９（Ｂ）の形態と同じである。
なお、図９（Ｂ），（Ｃ）の構成において、ガラス１０の第１面ｓ１又は第２面ｓ２の少なくとも一方に大判の反射抑制フィルム２０ｇを更に重ねて配置した構成としてもよい。
【０１０３】
第７実施形態の第１の構成の窓１Ｆは、複数の反射抑制フィルムが沿って並べて配置されている。そのため、大判の反射抑制フィルムを貼り付ける場合に比べて、貼り付けを容易に行うことができる。特に、複数の反射抑制フィルムが上下方向に沿って並べて配置されるため、各反射抑制フィルムをより真っ直ぐ且つ均等に貼り付けることができる。
【０１０４】
また、図９（Ｂ）に示すように、複数の反射抑制フィルム２０ａ〜２０ｃをガラス１０の室外側（Ｚ２側）に配置した場合、雨等の水滴を、隙間ｇ１に沿って下側（Ｙ２側）に排出できる。また、図９（Ｂ）に示すように、複数の反射抑制フィルム２０ｄ〜２０ｅをガラス１０の室内側（Ｚ１側）に配置した場合、結露による水滴を、隙間ｇ２に沿って下側（Ｙ２側）に排出できる。従って、第１の構成の窓１Ｆによれば、室外側及び室内側における水はけ性を向上させることができる。
【０１０５】
また、複数の反射抑制フィルムを並べて貼り付けるため、大判の反射抑制フィルムを貼り付ける場合に比べて、ガラスとフィルムとの間に気泡、ゴミ等が入りにくい。また、気泡、ゴミ等が入っても、大判の反射抑制フィルムに比べて貼り直しが容易となる。
【０１０６】
本実施形態では、フィルム間に隙間ｇ１，ｇ２を形成した例を説明したが、これに限定されない。複数枚の反射抑制フィルムは、フィルム間に隙間が形成されないように配置してもよい。その場合も、フィルム間の継ぎ目に微少な隙間が生じるため、フィルム間の隙間を目立たなくしつつ、水はけ性を向上させることができる。
【０１０７】
第１の構成の窓１Ｆは、図９（Ｃ）に示す形態において、反射抑制フィルム２０ａ〜２０ｃ及び２０ｄ〜２０ｆの隙間ｇ１，ｇ２が、それぞれ重なり合わないように配置されているため、隙間ｇ１，ｇ２を目立たなくすることができる。また、図９（Ｃ）に示す形態は、隙間ｇ１，ｇ２が、それぞれ重なり合わないため、ガラス１０が破損した場合において、破片の飛散を抑制できる。
【０１０８】
第１の構成の窓１Ｆは、図９（Ｄ）に示す形態において、ガラス１０の第１面ｓ１側に、大判の反射抑制フィルム２０ｄを配置されているため、フィルム間の隙間ｇ１を目立たなくしつつ、窓１Ｆが破損した場合において、破片の飛散をより効果的に抑制できる。
その他、第１の構成の窓１Ｆによれば、上述した第１実施形態の窓１と同様の効果を得ることができる。
【０１０９】
＜第２の構成＞
図１０は、第７実施形態における窓１Ｆの第２の構成を説明する図である。図１０（Ａ）は、第２の構成の窓１Ｆを室外側（Ｚ２側）から見たときの正面図である。図１０（Ｂ）〜（Ｄ）は、第２の構成の窓１Ｆの各形態を右側（Ｘ１側）から見たときの側面図である。
【０１１０】
図１０（Ａ）に示すように、第２の構成の窓１Ｆは、ガラス１０の第２面ｓ２側に短冊形の反射抑制フィルム２０ａ〜２０ｃが左右方向（Ｘ方向）に沿って並べて配置されている。また、第２の構成の窓１Ｆは、図１０（Ｂ）に示すように、ガラス１０の第１面ｓ１側に、反射抑制フィルム２０ｄ〜２０ｆが配置されている。反射抑制フィルム２０ｄ〜２０ｆは、図１０（Ａ）に示す反射抑制フィルム２０ａ〜２０ｃと同様に短冊形であり、左右方向に沿って並べて配置されている。
【０１１１】
反射抑制フィルム２０ａ〜２０ｃ及び２０ｄ〜２０ｆは、図１０（Ｂ）に示すように、フィルム間に隙間ｇ１，ｇ２が形成されるように配置してもよいし、隙間がないように配置してもよい。
【０１１２】
図１０（Ｂ）に示す形態において、ガラス１０の第１面ｓ１側に配置される反射抑制フィルム２０ｄ〜２０ｆと第２面ｓ２側に配置される反射抑制フィルム２０ａ〜２０ｃは、上下方向（Ｙ方向）の同じ位置に配置されている。そのため、本形態によれば、窓１Ｆの上下方向（Ｙ方向）において、フィルム間の隙間ｇ１，ｇ２は、それぞれ重なり合っている。
【０１１３】
図１０（Ｃ）は、第２の構成の窓１Ｆにおいて、別の形態を示している。図１０（Ｃ）に示す形態は、ガラス１０の第２面ｓ２側に配置された反射抑制フィルム２０ａ〜２０ｃに対して、ガラス１０の第１面ｓ１側における反射抑制フィルム２０ｄ〜２０ｆの配置される位置等が異なる。
【０１１４】
具体的には、ガラス１０の第１面ｓ１において、反射抑制フィルム２０ｄ，２０ｅを配置する位置を隙間ｇ２分だけ下側（Ｙ２側）にずらし、反射抑制フィルム２０ｆの幅（Ｙ方向）を隙間ｇ２分だけ狭くしている。フィルム間の隙間ｇ２は、第２面ｓ２側におけるフィルム間の隙間ｇ１と同じである。また、ガラス１０の第２面ｓ２側における反射抑制フィルム２０ａ〜２０ｃの配置は、図１０（Ｂ）の形態と同じである。本形態によれば、窓１Ｆの左右方向（Ｘ方向）において、フィルム間の隙間ｇ１，ｇ２が重なり合わないように構成できる。なお、ガラス１０の第１面ｓ１側に配置される反射抑制フィルム２０ｄ〜２０ｆを、上述した第１の構成（図９（Ｃ））と同じ形態としてもよい。
【０１１５】
図１０（Ｄ）は、第２の構成の窓１Ｆにおいて、更に別の形態を示している。図１０（Ｄ）に示す形態は、ガラス１０の第１面ｓ１側に、大判の反射抑制フィルム２０ｇが配置されている。ガラス１０の第１面ｓ１側に配置される反射抑制フィルム２０ｇは、第２面ｓ２に配置された反射抑制フィルム２０ａ〜２０ｃの領域を覆う程度の大きさを有する。ガラス１０の第２面ｓ２側における反射抑制フィルム２０ａ〜２０ｃの配置は、図１０（Ｂ）の形態と同じである。
なお、図１０（Ｂ）、（Ｃ）の形態において、ガラス１０の第１面ｓ１又は第２面ｓ２の少なくとも一方に大判の反射抑制フィルム２０ｇを更に重ねて配置した構成としてもよい。
【０１１６】
第７実施形態の第２の構成の窓１Ｆは、複数の反射抑制フィルムが左右方向に沿って並べて配置されている。そのため、ガラス１０のサイズが大きい場合に、反射抑制フィルムを上下方向に沿って貼り付ける第１の構成に比べて、反射抑制フィルムの長手方向の伸びによる幅の変動を抑制できる。
【０１１７】
また、反射抑制フィルムのほかに、短冊形の光機能性フィルムを複数枚貼り付ける場合、前述した採光フィルムのように、フィルムの特性によっては、ガラス１０に対して貼り付ける方向が制限され、左右方向にしか貼り付けできないこともある。その場合は、第２の構成のように、複数枚の採光フィルムを左右方向に沿って並べて貼り付けることにより、昼光の高い導入効果を損なうことなしに、複数枚の採光フィルムをガラス１０に容易に配置できる。
【０１１８】
第２の構成の窓１Ｆは、図１０（Ｃ）に示す形態において、反射抑制フィルム２０ａ〜２０ｃ及び２０ｄ〜２０ｆの隙間ｇ１，ｇ２が、それぞれ重なり合わないように配置されているため、隙間ｇ１，ｇ２を目立たなくすることができる。また、図１０（Ｃ）に示す形態は、隙間ｇ１，ｇ２が、それぞれ重なり合わないため、ガラス１０が破損した場合において、破片の飛散を抑制できる。
【０１１９】
第２の構成の窓１Ｆは、図１０（Ｄ）に示す形態において、ガラス１０の第１面ｓ１側に、大判の反射抑制フィルム２０ｄを配置されているため、フィルム間の隙間ｇ１を目立たなくしつつ、窓１Ｆが破損した場合において、破片の飛散をより効果的に抑制できる。
その他、第２の構成の窓１Ｆによれば、上述した第１実施形態の窓１と同様の効果を得ることができる。
【０１２０】
なお、上述した窓１Ｆの第１及び第２の構成において、反射抑制フィルム２０ａ〜２０ｃは、ガラス１０の少なくとも一方の側に並べて配置される。すなわち、窓１Ｆの第１及び第２の構成において、反射抑制フィルム２０ａ〜２０ｃ及び２０ｄ〜２０ｆは、ガラス１０の第１面ｓ１又は第２面ｓ２のいずれか一方に配置されていればよい。
【０１２１】
＜第３の構成＞
図１１は、第７実施形態における窓１Ｆの第３の構成を説明する図である。図１１（Ａ）は、第３の構成の窓１Ｆを室外側（Ｚ２側）から見たときの正面図である。図１１（Ｂ）〜（Ｄ）は、第３の構成の窓１Ｆを室内（Ｚ１側）から見たときの正面図である。
【０１２２】
図１１（Ａ）に示すように、第３の構成の窓１Ｆは、ガラス１０の第２面ｓ２側に短冊形の反射抑制フィルム２０ａ〜２０ｃが上下方向（Ｙ方向）に沿って並べて配置されている。また、第３の構成の窓１Ｆは、図１１（Ｂ）に示すように、ガラス１０の第１面ｓ１側に短冊形の反射抑制フィルム２０ｄ〜２０ｆが左右方向（Ｘ方向）に沿って並べて配置されている。
【０１２３】
第３の構成の窓１Ｆにおいて、ガラス１０の第２面ｓ２側の反射抑制フィルム２０ａ〜２０ｃと、ガラス１０の第１面ｓ１側の反射抑制フィルム２０ｄ〜２０ｆは、互いに直交するように配置されている。そのため、ガラス１０が破損した場合において、破片の飛散を抑制できる。
【０１２４】
第３の構成の窓１Ｆにおいて、ガラス１０の両面に配置された反射抑制フィルムは、Ｙ−Ｘ平面において、そのほとんどが重なり合うため、隙間ｇ１，ｇ２は、反射抑制フィルムが重ならない僅かな部分のみとなる。そのため、第３の構成の窓１Ｆは、フィルム間の隙間ｇ１，ｇ２を目立たなくしつつ、窓１Ｆが破損した場合において、破片の飛散をより効果的に抑制できる。
その他、第３の構成の窓１Ｆによれば、上述した第１実施形態の窓１と同様の効果を得ることができる。
【０１２５】
なお、第３の構成は、図１１に示す形態に限らず、例えば、ガラス１０の第２面ｓ２側において、反射抑制フィルム２０ａ〜２０ｃを左右方向（Ｘ方向）に沿って並べて配置し、ガラス１０第１面ｓ１側において、反射抑制フィルム２０ａ〜２０ｃを上下方向（Ｙ方向）に沿って並べて配置してもよい。
また、第３の構成において、ガラス１０の第１面ｓ１側又は第２面ｓ２側の少なくとも一方に、図９（Ｄ）に示すような大判の反射抑制フィルム２０ｇを更に重ねて配置してもよい。
【０１２６】
第７実施形態の第１〜第３の構成において、反射抑制フィルム２０ａ〜２０ｃは、光反射率が３枚とも同じであってもよいし、少なくとも１枚の反射抑制フィルムの光反射率が他の反射抑制フィルムの光反射率と異なっていてもよい。反射抑制フィルム２０ｄ〜２０ｆについても同じである。また、複数枚の反射抑制フィルムにおける光反射率は、上下方向（Ｙ方向）又は左右方向（Ｘ）において、段階的に変化させてもよいし、ランダムに変化させてもよい。
【０１２７】
第７実施形態の第１〜第３の構成において、反射抑制フィルム２０ａ〜２０ｃ及び２０ｄ〜２０ｆは、ガラス１０の全域に配置されていなくてもよい。すなわち、ガラス１０には、反射抑制フィルムが配置されていない領域があってもよい。このように、反射抑制フィルムが配置された領域と反射抑制フィルムが配置されていない領域とを組み合わせることにより、一つのガラス面上で光反射率の異なる領域を形成することができる。
【０１２８】
第７実施形態の第１〜第３の構成において、反射抑制フィルム２０ａ〜２０ｃ及び２０ｄ〜２０ｆの幅は、それぞれ同じでもよいし、異なっていてもよい。また、大判の反射抑制フィルム２０ｇを少なくとも一方の側に配置する形態において、反射抑制フィルム２０ｇの光反射率は、他の反射抑制フィルム２０ａ〜２０ｃ又は２０ｄ〜２０ｆと同じでもよいし、異なっていてもよい。複数の反射抑制フィルムにおいて、光反射率を異ならせることにより、窓の用途に応じて、透明性の高い領域と低い領域を設定できる。
【０１２９】
第７実施形態の第１〜第３の構成においては、ガラス１０の第１面ｓ１又は第２面ｓ２に、３枚の反射抑制フィルムを配置する例について説明したが、これに限定されない。反射抑制フィルムは、２枚でもよいし、４枚以上であってもよい。また、ガラス１０の第１面ｓ１と第２面ｓ２において、配置される反射抑制フィルムの枚数が異なっていてもよい。
その他、第７実施形態の窓１Ｆによれば、上述した第１実施形態の窓１と同様の効果を得ることができる。
【０１３０】
（第８実施形態）
次に、第８実施形態における窓１Ｇの第１及び第２の構成について説明する。
第８実施形態では、第１実施形態と同様の機能を果たす構成要件（ガラス、粘着層等）には、同一の符号を付して、重複する説明を適宜に省略する。
【０１３１】
図１２は、第８実施形態における窓１Ｇの第１及び第２の構成を説明する図である。図１２（Ａ）は、第１の構成の窓１Ｇを室外側（Ｚ２側）から見たときの正面図である。図１２（Ｂ）は、第２の構成の窓１Ｇを室外側（Ｚ２側）から見たときの正面図である。
【０１３２】
図１２（Ａ）に示すように、第１の構成の窓１Ｇは、ガラス１０（第２面ｓ２）の中央域に矩形状の反射抑制フィルム２０ｈが配置され、この反射抑制フィルム２０ｈの外周を囲むように、額縁形の反射抑制フィルム２０ｊが配置されている。
第１の構成の窓１Ｇにおいて、ガラス１０の外周域に配置された反射抑制フィルム２０ｊの光反射率は、中央域に配置された反射抑制フィルム２０ｈの光反射率よりも高く設定される。
【０１３３】
例えば、ガラス１０の中央域に配置された反射抑制フィルム２０ｈの光反射率Ｒを０．５％とし、ガラス１０の外周域に配置された反射抑制フィルム２０ｊの光反射率Ｒを４．０％に設定することができる。
なお、ここで例示した光反射率Ｒは、反射抑制フィルムの表面と裏面の光反射率の合計値である。
【０１３４】
図１２（Ｂ）に示すように、第２の構成の窓１Ｇは、ガラス１０（第２面ｓ２）の中央域に楕円形状の反射抑制フィルム２０ｋが配置され、この反射抑制フィルム２０ｈの外周を囲むように、枠形の反射抑制フィルム２０ｍが配置されている。
第２の構成の窓１Ｇにおいても、ガラス１０の外周域に配置された反射抑制フィルム２０ｋの光反射率は、中央域に配置された反射抑制フィルム２０ｍの光反射率よりも高く設定される。
【０１３５】
上述した第１の構成の窓１Ｇにおいて、ガラス１０の外周域に配置された反射抑制フィルム２０ｊの光反射率は、中央域に配置された反射抑制フィルム２０ｈの光反射率よりも高く設定されている。そのため、ガラス１０の中央域において透明性が高くても、その周囲では透明性が低いため、窓１Ｇに近づいた人にガラス１０の存在を認識させることができる。従って、第１の構成によれば、反射抑制フィルムを配置することで窓の透明性が高くなり、人がガラス１０の存在に気付かず、窓にぶつかってしまうという不具合を抑制できる（第２の構成についても同じ）。
その他、第８実施形態の窓１Ｇによれば、上述した第１実施形態の窓１と同様の効果を得ることができる。
【０１３６】
第８実施形態では、ガラス１０の中央域と外周域にそれぞれ反射抑制フィルムを配置する例について説明したが、これに限定されない。反射抑制フィルムは、更に複数あってもよい。例えば、図１２（Ａ）の二点鎖線で示すように、ガラス１０の中央域に配置された矩形状の反射抑制フィルムの外周を囲むように、額縁形の反射抑制フィルムを二重に配置してもよい。この場合、二重に配置した反射抑制フィルムの光反射率を段階的に変化させてもよいし、ランダムに変化させてもよい。
【０１３７】
第８実施形態において、ガラス１０の中央域と外周域に配置されるそれぞれの反射抑制フィルムの形状は、図１２（Ａ），（Ｂ）に示した例に限らず、どのような形状であってもよい。また、ガラス１０の中央域と外周域に配置されるそれぞれの反射抑制フィルムは、複数の反射抑制フィルムで構成されていてもよい。
【０１３８】
第８実施形態において、ガラス１０の中央域に反射抑制フィルムを配置し、外周域に反射抑制フィルムを未配置（例えばＳ、光反射率８％）としてもよい。また、ガラス１０の中央域に反射抑制フィルムを未配置とし、外周域に反射抑制フィルムを配置してもよい。
また、透明ガラスへの衝突防止用のマークを反射抑制フィルム又はフィルム未配置の面に配置して、部分的に光反射率の異なる領域を形成してもよい。
【０１３９】
第８実施形態において、ガラス１０の一方の面（例えば、第１面ｓ１）の中央域に反射抑制フィルム２０ｈ（２０ｋ）が配置され、ガラス１０の他方の面（第２面ｓ２）の外周域に反射抑制フィルム２０ｊ（２０ｍ）が配置される構成としてもよい。
また、第８実施形態の第１及び第２の構成において、ガラス１０の第１面ｓ１側又は第２面ｓ２側の少なくとも一方に、図９（Ｄ）に示すような大判の反射抑制フィルム２０ｇを更に重ねて配置する構成としてもよい。
【０１４０】
以上、本発明の実施形態について説明したが、本発明は、前述した実施形態に限定されるものではなく、後述する変形形態のように種々の変形や変更が可能であって、それらも本発明の技術的範囲内である。実施形態に記載した効果は、本発明から生じる最も好適な効果を列挙したに過ぎず、実施形態に記載したものに限定されない。なお、上述の実施形態及び後述する変形形態は、適宜組み合わせて用いることもできるが、詳細な説明は省略する。また、変形形態では、各実施形態に共通な構成もあるため、部材名の符号を省略して説明する。
【０１４１】
（変形形態）
実施形態では、ガラスの第１面ｓ１又は第２面ｓ２に少なくとも一方に反射抑制フィルムを配置する例について説明したが、これに限定されない。窓の光反射率を調整するために、反射抑制フィルムを複数枚重ねて配置してもよい。例えば、窓の光反射率を、太陽光に含まれるスペクトル領域に合うように調整すれば、太陽光の反射をより効果的に抑制することができる。
また、反射抑制フィルムは、光の反射を抑制する機能を有するものに限らず、異なる波長範囲の光に対して反射抑制の効果を有するものでもよく、それぞれのフィルムを併用してもよい。
【０１４２】
実施形態では、反射抑制フィルムを、短冊形、矩形状等とした例について説明したが、これに限定されない。反射抑制フィルムは、例えば、三角形、菱形、丸形状等であってもよい。例えば、三角形の反射抑制フィルムを複数組み合わせることにより、雨、結露等の水滴を特定の方向に集めて排出できる。
【０１４３】
実施形態の窓において、室内（第１空間）側に配置された反射抑制フィルムの光反射率は、室外（第２空間）側に配置された反射抑制フィルムの光反射率と異なってもよい。例えば、室外側に配置された反射抑制フィルムの光反射率を、室内側に配置された反射抑制フィルムの光反射率よりも高くすることにより、太陽光による日射を室外側の反射抑制フィルムにより低減できる。なお、室内に配置した反射抑制フィルムは、室外に比べて温度の影響を受けにくいため、室内側に反射抑制フィルムを配置した場合は、より安定した効果を期待できる。
【０１４４】
実施形態では、窓となるガラスを石英ガラス、ソーダガラス等の透明なガラス材料により形成する例について説明したが、これに限定されない。ガラスは、石英ガラス、ソーダガラス等のガラス材料に限らず、例えば、ポリカーボネート、アクリル樹脂等の高分子樹脂等であってもよい。例えば、接着性を有する材料でガラスを形成した場合は、粘着層を省略できるため、反射抑制フィルムをより軽くできる。また、ガラスに粘着層を形成する工程を省くことができるので、コストを低減しつつ、生産性を向上させることができる。
【０１４５】
実施形態において、反射抑制フィルムを配置する対象は、住宅、オフィスビル等の窓に限らず、自動車、船舶、航空機、鉄道車両等に設置された窓であってもよいし、店舗等のショーウィンドウ、室内に設置されるパーティーション、美術館、博物館に用いられる展示用のショーケース等に用いられるガラスであってもよい。
【符号の説明】
【０１４６】
１，１Ａ〜１Ｇ    窓
１Ｃ−１    内窓
１Ｃ−２    外窓
２    開口部
３    壁
４    建築物
１０，１１，１２，１１０，２１０    ガラス
１３    中間膜
１４    密閉空間
１５    中空層
２０，２０ａ〜２０ｈ、２０ｊ，２０ｋ，２０ｍ    反射抑制フィルム
２１    低屈折率層
２２    高屈折率層
２４    透明基材
３０    粘着層
４０    意匠フィルム
４１    意匠パターン
５０    遮熱フィルム
【図１】
2018100499.tif 000003
【図２】
2018100499.tif 000004
【図３】
2018100499.tif 000005
【図４】
2018100499.tif 000006
【図５】
2018100499.tif 000007
【図６】
2018100499.tif 000008
【図７】
2018100499.tif 000009
【図８】
2018100499.tif 000010
【図９】
2018100499.tif 000011
【図１０】
2018100499.tif 000012
【図１１】
2018100499.tif 000013
【図１２】
2018100499.tif 000014